(57)【要約】【課題】入力映像信号の振幅を高速に切り替えることにより、表示デバイス画面上の複数領域を高輝度部分と低輝度部分として表示できるようにする。【解決手段】入力映像信号を第１の増幅率で増幅する第１のアンプ１３Ｒ，１３Ｇ，１３Ｂと、第２の増幅率で増幅する第２のアンプ１４Ｒ，１４Ｇ，１４Ｂと、第１のアンプ又は第２のアンプから出力される映像信号の一方を出力するスイッチ回路１７Ｒ，１７Ｇ，１７Ｂと、映像表示回路が第１の領域の映像を表示させるための映像信号を出力する間は出力映像信号が第１のアンプから出力される映像信号になり、第２の領域の映像を表示させるための映像信号を出力する間は出力映像信号が第２のアンプから出力される映像信号になるようにスイッチ回路の切替動作を実行させるウィンドウ制御信号発生回路１８とを有する。【選択図】　　　　図１
2004040534.tif 000002
【特許請求の範囲】
【請求項１】
入力映像信号の振幅に応じて映像の輝度が変化する映像表示回路において、
前記入力映像信号を予め設定された第１の増幅率で増幅する第１のアンプと、前記入力映像信号を前記第１の増幅率と異なり、予め設定された第２の増幅率で増幅する第２のアンプと、
前記第１のアンプから出力される映像信号及び前記第２のアンプから出力される映像信号が入力され、前記第１のアンプから出力される映像信号又は前記第２のアンプから出力される映像信号のいずれか一方を出力するスイッチ回路と、
前記入力映像信号が前記表示デバイスの画面に第１の領域の映像及び前記第１の領域とは異なる第２の領域の映像を表示させる映像信号を含む場合に、前記映像表示回路が前記第１の領域の映像を表示させるための映像信号を出力する間は前記映像表示回路から出力される映像信号が前記第１のアンプから出力される映像信号になり、前記映像表示回路が前記第２の領域の映像を表示させるための映像信号を出力する間は前記映像表示回路から出力される映像信号が前記第２のアンプから出力される映像信号になるように前記スイッチ回路の切替動作を実行させるスイッチ制御回路と
を有することを特徴とする映像表示回路。
【請求項２】
前記入力映像信号が、第１の映像信号、第２の映像信号、及び第３の映像信号を含み、
第１の映像信号、第２の映像信号、及び第３の映像信号のそれぞれに対応する、前記第１のアンプ、前記第２のアンプ、及び前記スイッチ回路を有する
ことを特徴とする請求項１に記載の映像表示回路。
【請求項３】
入力映像信号の振幅に応じて映像の輝度が変化する映像表示回路において、
前記入力映像信号を予め設定された増幅率で増幅するアンプと、
前記入力映像信号及び前記アンプから出力される映像信号が入力され、前記入力映像信号又は前記アンプから出力される映像信号のいずれか一方を出力するスイッチ回路と、
前記入力映像信号が前記表示デバイスの画面に第１の領域の映像及び前記第１の領域とは異なる第２の領域の映像を表示させる映像信号を含む場合に、前記映像表示回路が前記第１の領域の映像を表示させるための映像信号を出力する間は前記映像表示回路から出力される映像信号が前記入力映像信号になり、前記映像表示回路が前記第２の領域の映像を表示させるための映像信号を出力する間は前記映像表示回路から出力される映像信号が前記アンプから出力される映像信号になるように前記スイッチ回路の切替動作を実行させるスイッチ制御回路と
を有することを特徴とする映像表示回路。
【請求項４】
前記入力映像信号が、第１の映像信号、第２の映像信号、及び第３の映像信号を含み、
第１の映像信号、第２の映像信号、及び第３の映像信号のそれぞれに対応する、前記アンプ及び前記スイッチ回路を有する
ことを特徴とする請求項３に記載の映像表示回路。
【請求項５】
入力映像信号の振幅に応じて映像の輝度が変化する映像表示回路において、
前記入力映像信号を予め設定された第１の増幅率で増幅する第１のアンプと、前記入力映像信号を前記第１の増幅率とは異なり、予め設定された第２の増幅率で増幅する第２のアンプと、
前記第１のアンプから出力される映像信号の直流電圧レベルを基準レベルにする第１のクランプ回路と、
前記第２のアンプから出力される映像信号の直流電圧レベルを前記基準レベルにする第２のクランプ回路と、
前記第１のクランプ回路から出力される映像信号及び前記第２のクランプ回路から出力される映像信号が入力され、前記第１のクランプ回路から出力される映像信号又は前記第２のクランプ回路から出力される映像信号のいずれか一方を出力するスイッチ回路と、
前記入力映像信号が前記表示デバイスの画面に第１の領域の映像及び前記第１の領域とは異なる第２の領域の映像を表示させる映像信号を含む場合に、前記映像表示回路が前記第１の領域の映像を表示させるための映像信号を出力する間は前記映像表示回路から出力される映像信号が前記第１のクランプ回路から出力される映像信号になり、前記映像表示回路が前記第２の領域の映像を表示させるための映像信号を出力する間は前記映像表示回路から出力される映像信号が前記第２のクランプ回路から出力される映像信号になるように前記スイッチ回路の切替動作を実行させるスイッチ制御回路と
を有することを特徴とする映像表示回路。
【請求項６】
前記入力映像信号が、第１の映像信号、第２の映像信号、及び第３の映像信号を含み、
第１の映像信号、第２の映像信号、及び第３の映像信号のそれぞれに対応する、前記第１のアンプ、前記第２のアンプ、前記第１のクランプ回路、前記第２のクランプ回路、及び前記スイッチ回路を有する
ことを特徴とする請求項５に記載の映像表示回路。
【請求項７】
前記第１の領域が、非動画部であり、
前記第２の領域が、動画ウインドウ部である
ことを特徴とする請求項１から６までのいずれかに記載の映像表示回路。
【請求項８】
前記請求項１から７までのいずれかに記載の映像表示回路と、
前記映像表示回路から出力されるアナログ映像信号に基づいて映像を表示する表示デバイスと
を有することを特徴とする映像表示装置。
【請求項９】
前記表示デバイスが、アナログ映像信号入力可能に構成されていることを特徴とする請求項８に記載の映像表示装置。
【発明の詳細な説明】
【０００１】
【発明の属する技術分野】
本発明は、表示デバイスの画面上の複数の領域（例えば、子画面とそれ以外の領域）のそれぞれに別個の映像を表示させる映像表示回路及びこの回路を搭載した映像表示装置に関し、特に、各領域に輝度差を持たせることができるアナログ映像信号を生成する映像表示回路及びこの回路を搭載した映像表示装置に関するものである。
【０００２】
【従来の技術】
図４は、従来の映像表示装置の構成を概略的に示すブロック図である。図４に示されるように、プリアンプ１９は、入力される赤（Ｒ）、緑（Ｇ）、青（Ｂ）の各映像信号Ｒ１，Ｇ１，Ｂ１を、クランプし、振幅増幅する。プリアンプ１９は、マイコン２０によるＩ２Ｃ（Ｉｎｔｅｒ　Ｉｎｔｅｇｒａｔｅｄ　Ｃｉｒｃｕｉｔ）制御により、コントラスト調整、色バランス調整、自動ビーム電流制限、ブライトネス調整、画質補正等を行う。カソードアンプ２１は、プリアンプ１９の出力信号Ｒ２，Ｇ２，Ｂ２を反転増幅して得られた信号Ｒ３，Ｇ３，Ｂ３を、陰極線管（ＣＲＴ）２２のカソードに印加する。
【０００３】
図５は、図４に示される映像表示装置の信号波形図である。図５に示されるように、プリアンプ１９に振幅ｉ［Ｖｐｐ］の映像信号Ｒ１，Ｇ１，Ｂ１が入力されると、プリアンプ１９から振幅ｄ［Ｖｐｐ］に増幅された映像信号Ｒ２，Ｇ２，Ｂ２が出力される。プリアンプ１９の増幅率が１５［ｄＢ］であり、振幅ｉ［Ｖｐｐ］が０．７［Ｖｐｐ］であるとすると、カソードアンプ２１に入力される映像信号Ｒ２，Ｇ２，Ｂ２の振幅ｄ［Ｖｐｐ］は４［Ｖｐｐ］になる。この場合に、カソードアンプ２１の増幅率を２０［ｄＢ］にすると（ＣＲＴ２２がパソコン用モニタである場合）、カソードアンプ２１からの出力信号Ｒ３，Ｇ３，Ｂ３の振幅ｊ［Ｖｐｐ］は４０［Ｖｐｐ］となり、輝度１５０［ｃｄ／ｍ２］程度の映像を表示できる。また、カソードアンプ２１の増幅率を２６［ｄＢ］にすると（ＣＲＴ２２がテレビ受像機である場合）、カソードアンプ２１からの出力信号Ｒ３，Ｇ３，Ｂ３の振幅ｊ［Ｖｐｐ］は８０［Ｖｐｐ］となり、輝度３００［ｃｄ／ｍ２］以上の映像を表示できる。
【０００４】
また、図６は、従来の映像表示回路の構成を概略的に示すブロック図であり、図７は、サブコントラスト制御電圧とプリアンプ出力の関係を示すグラフである。図６に示されるプリアンプ３０は、コントラスト調整や色バランス調整を行う際に、Ｒ、Ｇ、Ｂの各映像信号Ｒ１，Ｇ１，Ｂ１のそれぞれの増幅率をサブコントラスト制御信号ＶＳＲ，ＶＳＧ，ＶＳＢ（又はメインコントラスト制御信号）の電圧に応じて変化させる。プリアンプ３０の出力信号Ｒ２，Ｇ２，Ｂ２の振幅電圧は、図７に示されるように変化する。
【０００５】
図８は、図６に示される映像表示回路の信号波形図である。図８に示されるように、プリアンプ３０には、振幅ｉ［Ｖｐｐ］の映像信号Ｒ１，Ｇ１，Ｂ１が入力される。高輝度部（例えば、子画面である動画ウインドウ部）を表示する場合には、スイッチ回路３１Ｒ，３１Ｇ，３１Ｂによりサブコントラスト制御信号ＶＳＲ，ＶＳＧ，ＶＳＢを高輝度電圧ｈ［Ｖ］（例えば、５［Ｖ］）にし、プリアンプ３０の出力信号Ｒ２，Ｇ２，Ｂ２の振幅電圧をｄ［Ｖｐｐ］（例えば、４［Ｖｐｐ］）にする。また、低輝度部（例えば、非動画部）を表示する場合には、スイッチ回路３１Ｒ，３１Ｇ，３１Ｂによりサブコントラスト制御信号ＶＳＲ，ＶＳＧ，ＶＳＢを低輝度電圧ｇ［Ｖ］（例えば、２．５［Ｖ］）にし、プリアンプ３０の出力信号Ｒ２，Ｇ２，Ｂ２の振幅電圧をｃ［Ｖｐｐ］（例えば、２［Ｖｐｐ］）にする。
【０００６】
【発明が解決しようとする課題】
しかしながら、図４に示される映像表示装置のプリアンプ１９におけるＩ２Ｃ制御の周期は最大４００［ＫＨｚ］（フィリップス社が規定する仕様による）に決められており、映像のドットクロックの周期（ＳＸＧＡ１２８０×１０２４ドット表示の場合には約１００［ＭＨｚ］）に比べ非常に遅い。このため、図４に示される映像表示装置においては、プリアンプ１９の増幅率を切り替えることにより同一画面上における非動画部の輝度と動画ウインドウ部の輝度を切り替えることはできなかった。
【０００７】
また、図６に示される映像表示回路のプリアンプ３０は、少なくともサブコントラスト制御用入力ポートを３個、メインコントラスト制御用入力ポートを１個有するものでなければならない。しかし、近年の映像用プリアンプは、２本のシリアル制御線によるＩ２Ｃ制御を行うものが主流であり、サブコントラスト及びメインコントラスト制御用の入力ポートを備えたものは少ない。また、図６に示される映像表示回路のプリアンプ３０においては、電源電圧の変動等により制御電圧値（例えば、図７における高輝度電圧ｈ［Ｖ］）が変動し、そのためプリアンプ３０出力信号Ｒ２，Ｇ２，Ｂ２の振幅電圧（例えば、図７におけるｄ［Ｖｐｐ］）が変動してしまい、表示画像のコントラストが安定しないことがあり得る。さらに、図６におけるプリアンプ３０としては、サブコントラスト制御入力に対する増幅率の切替えの応答速度が速いものが必要である。例えば、ドットクロックが１００ＭＨｚである映像信号が入力され、高輝度部分と低輝度部分の切替え誤差が２ドット以内となる仕様を満足させるためには、サブコントラスト制御入力電圧が低輝度電圧ｇ［Ｖ］から高輝度電圧ｈ［Ｖ］に、又は高輝度電圧ｈ［Ｖ］から低輝度電圧ｇ［Ｖ］に切り替わった場合に、プリアンプ３０出力に現われる増幅波形の応答速度が２０ｎｓ以下の高速動作を行うプリアンプが必要になる。
【０００８】
そこで、本発明は、上記したような従来技術の課題を解決するためになされたものであり、その目的は、入力映像信号の振幅を高速に切り替えることにより、表示デバイス画面上の複数領域を高輝度部分と低輝度部分として表示させることができる映像表示回路及びこの回路を搭載した映像表示装置を提供することである。
【０００９】
【課題を解決するための手段】
請求項１の映像表示回路は、入力された映像信号の振幅に応じて映像の輝度が変化する回路であって、
前記入力映像信号を予め設定された第１の増幅率で増幅する第１のアンプと、前記入力映像信号を前記第１の増幅率と異なり、予め設定された第２の増幅率で増幅する第２のアンプと、
前記第１のアンプから出力される映像信号及び前記第２のアンプから出力される映像信号が入力され、前記第１のアンプから出力される映像信号又は前記第２のアンプから出力される映像信号のいずれか一方を出力するスイッチ回路と、
前記映像表示回路の入力映像信号が前記表示デバイスの画面に第１の領域の映像及び前記第１の領域とは異なる第２の領域の映像を表示させる映像信号を含む場合に、前記映像表示回路が前記第１の領域の映像を表示させるための映像信号を出力する間は前記映像表示回路から出力される映像信号が前記第１のアンプから出力される映像信号になり、前記映像表示回路が前記第２の領域の映像を表示させるための映像信号を出力する間は前記映像表示回路から出力される映像信号が前記第２のアンプから出力される映像信号になるように前記スイッチ回路の切替動作を実行させるスイッチ制御回路とを有することを特徴としている。
【００１０】
また、請求項２の映像表示回路は、前記入力映像信号が、第１の映像信号、第２の映像信号、及び第３の映像信号を含み、第１の映像信号、第２の映像信号、及び第３の映像信号のそれぞれに対応する、前記第１のアンプ、前記第２のアンプ、及び前記スイッチ回路を有することを特徴としている。
【００１１】
請求項３の映像表示回路は、入力された映像信号の振幅に応じて映像の輝度が変化する回路であって、
前記入力映像信号を予め設定された増幅率で増幅するアンプと、
前記入力映像信号及び前記アンプから出力される映像信号が入力され、前記入力映像信号又は前記アンプから出力される映像信号のいずれか一方を出力するスイッチ回路と、
前記映像表示回路の入力映像信号が前記表示デバイスの画面に第１の領域の映像及び前記第１の領域とは異なる第２の領域の映像を表示させる映像信号を含む場合に、前記映像表示回路が前記第１の領域の映像を表示させるための映像信号を出力する間は前記映像表示回路から出力される映像信号が前記入力映像信号になり、前記映像表示回路が前記第２の領域の映像を表示させるための映像信号を出力する間は前記映像表示回路から出力される映像信号が前記アンプから出力される映像信号になるように前記スイッチ回路の切替動作を実行させるスイッチ制御回路とを有することを特徴としている。
【００１２】
また、請求項４の映像表示回路は、前記入力映像信号が、第１の映像信号、第２の映像信号、及び第３の映像信号を含み、第１の映像信号、第２の映像信号、及び第３の映像信号のそれぞれに対応する、前記アンプ及び前記スイッチ回路を有することを特徴としている。
【００１３】
請求項５の映像表示回路は、入力された映像信号の振幅に応じて映像の輝度が変化する回路において、
前記入力映像信号を予め設定された第１の増幅率で増幅する第１のアンプと、前記入力映像信号を前記第１の増幅率とは異なり、予め設定された第２の増幅率で増幅する第２のアンプと、
前記第１のアンプから出力される映像信号の直流電圧レベルを基準レベルにする第１のクランプ回路と、
前記第２のアンプから出力される映像信号の直流電圧レベルを前記基準レベルにする第２のクランプ回路と、
前記第１のクランプ回路から出力される映像信号及び前記第２のクランプ回路から出力される映像信号が入力され、前記第１のクランプ回路から出力される映像信号又は前記第２のクランプ回路から出力される映像信号のいずれか一方を出力するスイッチ回路と、
前記映像表示回路の入力映像信号が前記表示デバイスの画面に第１の領域の映像及び前記第１の領域とは異なる第２の領域の映像を表示させる映像信号を含む場合に、前記映像表示回路が前記第１の領域の映像を表示させるための映像信号を出力する間は前記映像表示回路から出力される映像信号が前記第１のクランプ回路から出力される映像信号になり、前記映像表示回路が前記第２の領域の映像を表示させるための映像信号を出力する間は前記映像表示回路から出力される映像信号が前記第２のクランプ回路から出力される映像信号になるように前記スイッチ回路の切替動作を実行させるスイッチ制御回路とを有することを特徴としている。
【００１４】
また、請求項６の映像表示回路は、前記入力映像信号が、第１の映像信号、第２の映像信号、及び第３の映像信号を含み、第１の映像信号、第２の映像信号、及び第３の映像信号のそれぞれに対応する、前記第１のアンプ、前記第２のアンプ、前記第１のクランプ回路、前記第２のクランプ回路、及び前記スイッチ回路を有することを特徴としている。
【００１５】
また、請求項７の映像表示回路は、前記第１の領域が、非動画部であり、前記第２の領域が、動画ウインドウ部であることを特徴としている。
【００１６】
請求項８の映像表示装置は、
前記請求項１から７までのいずれかに記載の映像表示回路と、
前記映像表示回路から出力される振幅増幅された映像信号に基づいて映像を表示する表示デバイスとを有することを特徴としている。
【００１７】
また、請求項９の映像表示装置は、前記表示デバイスが、アナログ映像信号入力可能に構成されていることを特徴としている。
【００１８】
【発明の実施の形態】
図１は、本発明の実施の形態１に係る映像表示回路（又は実施の形態１に係る映像表示装置に組み込まれる映像表示回路）の構成を概略的に示すブロック図である。また、実施の形態１の説明に際しては、図４をも参照する。図１に示されるように、実施の形態１に係る映像表示回路は、映像信号を増幅し、コントラスト調整等を行うプリアンプ１１と、入力された映像信号の振幅を制御することによって、表示デバイスの画面に表示される映像の輝度を制御する輝度制御回路１２とを有する。また、この映像表示回路を搭載した映像表示装置は、表示デバイスとしてのＣＲＴ（図４の符号２２）と、カソードアンプ（図４の符号２１）とを有する。
【００１９】
輝度制御回路１２は、入力される映像信号Ｒ１，Ｇ１，Ｂ１のそれぞれを第１の増幅率で増幅する第１のアンプ１３Ｒ，１３Ｇ，１３Ｂと、入力される映像信号Ｒ１，Ｇ１，Ｂ１を第２の増幅率で増幅する第２のアンプ１４Ｒ，１４Ｇ，１４Ｂと、第１のアンプ１３Ｒ，１３Ｇ，１３Ｂから出力される映像信号Ｒ１ａ，Ｇ１ａ，Ｂ１ａの直流電圧レベルを基準レベルに設定する第１のクランプ回路１５Ｒ，１５Ｇ，１５Ｂと、第２のアンプ１４Ｒ，１４Ｇ，１４Ｂから出力される映像信号Ｒ１ｂ，Ｇ１ｂ，Ｂ１ｂの直流電圧レベルを前記基準レベルに設定する第２のクランプ回路１６Ｒ，１６Ｇ，１６Ｂとを有する。また、輝度制御回路１２は、スイッチ回路１７Ｒ，１７Ｇ，１７Ｂと、ウインドウ制御信号発生回路１８とを有する。
【００２０】
図２は、実施の形態１に係る映像表示回路のウインドウ制御信号発生回路の動作説明図である。ウインドウ制御信号発生回路１８は、図２に示されるように、動画ウインドウ部８ｂを表示している期間だけ、例えば、ハイレベルになる水平信号及び垂直信号を入力する論理積回路４ａを有し、水平信号及び垂直信号の両方がハイレベルである期間だけハイレベルになるウインドウ制御信号ＣＷをスイッチ回路２に出力する。即ち、図２に示されるように、ウインドウ制御信号ＣＷは、動画ウインドウ部８ｂの水平方向の位置を示した矩形波と垂直方向の位置を示した矩形波の論理積（ＡＮＤ）を取った波形である。また、このウインドウ制御信号ＣＷはスイッチ回路３を高速に動作させるために、立ち上がりと立ち下がりが早くジッタの少ない波形であることが望ましい。
【００２１】
スイッチ回路１７Ｒ，１７Ｇ，１７Ｂは、第１のクランプ回路１５Ｒ，１５Ｇ，１５Ｂから出力される映像信号及び第２のクランプ回路１６Ｒ，１６Ｇ，１６Ｂから出力される映像信号が入力され、第１のクランプ回路１５Ｒ，１５Ｇ，１５Ｂから出力される映像信号又は第２のクランプ回路１６Ｒ，１６Ｇ，１６Ｂから出力される映像信号のいずれか一方を出力する。ウインドウ制御信号発生回路１８は、輝度制御回路１２に入力される映像信号Ｒ１，Ｇ１，Ｂ１が表示デバイスの画面８上に非動画部８ａの映像及び非動画部８ａ以外の動画ウインドウ部８ｂの映像を表示させる映像信号を含む場合に、輝度制御回路１２が非動画部８ａの映像を表示させるための映像信号を出力する間は輝度制御回路１２から出力される映像信号が第１のクランプ回路１５Ｒ，１５Ｇ，１５Ｂから出力される映像信号になり、輝度制御回路１２が動画ウインドウ部８ｂの映像を表示させるための映像信号を出力する間は輝度制御回路１２から出力される映像信号が第２のクランプ回路１６Ｒ，１６Ｇ，１６Ｂから出力される映像信号になるようにスイッチ回路１７Ｒ，１７Ｇ，１７Ｂを動作させる。
【００２２】
高輝度用の第１のアンプ１３Ｒ，１３Ｇ，１３Ｂの増幅率は、例えば、０［ｄＢ］であり、低輝度用の第２のアンプ１４Ｒ，１４Ｇ，１４Ｂの増幅率は、例えば、−６［ｄＢ］である。表示輝度がプリアンプ１１出力の振幅に比例する表示デバイスを用いた場合、高輝度用映像信号の振幅と低輝度用映像信号の振幅との違いは約２倍になる。また、高輝度用の第１のアンプ１３Ｒ，１３Ｇ，１３Ｂが増幅率０［ｄＢ］の場合には、高輝度用の第１のアンプ１３Ｒ，１３Ｇ，１３Ｂを備えない構成又は単なるバッファ回路に置き換えた構成にしてもよい。また、低輝度用の第２のアンプ１４Ｒ，１４Ｇ，１４Ｂは振幅を低下させる回路であるので、周波数特性と出力インピーダンスを犠牲にすることが許容される場合には、第２のアンプ１４Ｒ，１４Ｇ，１４Ｂをトランジスタを使用しない単純な抵抗分割回路で構成してもよい。
【００２３】
第１のクランプ回路１５Ｒ，１５Ｇ，１５Ｂ及び第２のクランプ回路１６Ｒ，１６Ｇ，１６Ｂは、映像信号の直流レベルを揃えるための回路である。第１のアンプ１３Ｒ，１３Ｇ，１３Ｂ及び第２のアンプ１４Ｒ，１４Ｇ，１４Ｂで映像信号の振幅を変化させると、それに応じて直流電圧レベルが変化するため、第１のクランプ回路１５Ｒ，１５Ｇ，１５Ｂ及び第２のクランプ回路１６Ｒ，１６Ｇ，１６Ｂが必要となる。ここで、例えば、入力信号の黒レベル直流電圧が０［Ｖ］であるときは、増幅率を変えても直流レベルが変動しないため、第１のクランプ回路１５Ｒ，１５Ｇ，１５Ｂ及び第２のクランプ回路１６Ｒ，１６Ｇ，１６Ｂを省略することが可能である。
【００２４】
スイッチ回路１７Ｒ，１７Ｇ，１７Ｂは、映像信号を高速に切り替える２入力１出力スイッチ回路である。例えば、入力映像信号Ｒ１，Ｇ１，Ｂ１のドットクロックが１００［ＭＨｚ］である場合に、動画ウインドウ部８ｂと非動画部８ａの輝度の切り換え誤差が２ドット以内とするためには、スイッチ回路１７Ｒ，１７Ｇ，１７Ｂの応答速度（即ち、ウインドウ制御信号ＣＷがローレベルからハイレベルに又はハイレベルからローレベルに切り替わった時点からスイッチ回路３の切り替わりが完了する時点までの時間）が２０［ｎｓ］以下である高速切替動作を行う必要がある。また、スイッチ回路１７Ｒ，１７Ｇ，１７Ｂの入出力特性としては、第１のアンプ１３Ｒ，１３Ｇ，１３Ｂ及び第２のアンプ１４Ｒ，１４Ｇ，１４Ｂの出力に対応する入力のダイナミックレンジが必要であり、さらに、映像周波数劣化を抑えるため、高周波に対応した入出力周波数特性が必要である。
【００２５】
図３は、実施の形態１に係る映像表示回路の信号波形図である。図３に示されるように、輝度制御回路１２に振幅ｉ［Ｖｐｐ］の映像信号Ｒ１，Ｇ１，Ｂ１が入力される。第１のアンプ１３Ｒ，１３Ｇ，１３Ｂによって増幅された映像信号の振幅電圧をｅ［Ｖｐｐ］とし、第２のアンプ１４Ｒ，１４Ｇ，１４Ｂによって増幅された映像信号の振幅電圧をｆ［Ｖｐｐ］とする。ここで、ｅ＞ｆである。第１のクランプ回路１５Ｒ，１５Ｇ，１５Ｂで第１のアンプ１３Ｒ，１３Ｇ，１３Ｂの出力Ｒ１ａ，Ｇ１ａ，Ｂ１ａの黒レベル直流電圧を調整し、第２のクランプ回路１６Ｒ，１６Ｇ，１６Ｂで第２のアンプ１４Ｒ，１４Ｇ，１４Ｂの出力Ｒ１ｂ，Ｇ１ｂ，Ｂ１ｂの黒レベル直流電圧を調整し、第１のクランプ回路１５Ｒ，１５Ｇ，１５Ｂ出力の黒レベル直流電圧と第２のクランプ回路１６Ｒ，１６Ｇ，１６Ｂ出力の黒レベル直流電圧を同じにする。
【００２６】
図３に示されるように、ウインドウ制御信号ＣＷは、高輝度に表示したい部分がハイレベルになり、それ以外の部分がローレベルになるような信号である。ウインドウ制御信号ＣＷは、高速スイッチ回路１７Ｒ，１７Ｇ，１７Ｂの切り替え制御端子に入力され、プリアンプ１１に入力される映像信号Ｒ１ｃ，Ｇ１ｃ，Ｂ１ｃを、振幅ｅ［Ｖｐｐ］の信号又は振幅ｆ［Ｖｐｐ］の信号のいずれかに切り換える動作を行う。ウインドウ制御信号ＣＷがハイレベルのときに振幅ｅ［Ｖｐｐ］の映像信号が選択され、ローレベルのときに振幅ｆ［Ｖｐｐ］の信号が選択される。この結果、スイッチ回路１７Ｒ，１７Ｇ，１７Ｂから出力された信号Ｒ１ｃ，Ｇ１ｃ，Ｂ１ｃの波形は、図３に示されるようになる。
【００２７】
プリアンプ１１は、スイッチ回路１７Ｒ，１７Ｇ，１７Ｂからの出力信号Ｒ１ｃ，Ｇ１ｃ，Ｂ１ｃを増幅して、プリアンプ１１出力信号Ｒ２，Ｇ２，Ｂ２とする。プリアンプ１１の増幅率が１５［ｄＢ］であるときには、ｅ［Ｖｐｐ］＝０．７［Ｖｐｐ］及びｆ［Ｖｐｐ］＝０．３５［Ｖｐｐ］の信号のそれぞれが、振幅ｄ［Ｖｐｐ］＝４［Ｖｐｐ］及びｃ［Ｖｐｐ］＝２［Ｖｐｐ］の出力信号となり、高輝度部と低輝度部の振幅差の大きい信号を作り出すことができる。
【００２８】
このようにして作り出されたプリアンプ１１出力Ｒ２，Ｇ２，Ｂ２をカソードアンプ（図４の符号２１）に入力し、反転増幅し、ＣＲＴ（図４の符号２２）のカソードに印加する。その結果、図２に示されるように、ＣＲＴの画面８上において、動画ウインドウ部８ｂをそれ以外の非動画部８ａに比べ、高輝度で表示することができる。
【００２９】
なお、上記説明においては、表示デバイスがＣＲＴである場合を説明したが、表示デバイスはＣＲＴ以外の他の形式の表示デバイスであってもよい。本発明が適用可能な表示デバイスには、ＬＣＤモニタやＰＤＰモニタ等のようなドットマトリクス型表示装置や傾斜角度を切り換え可能な多数の微小ミラーを備えたマイクロミラーデバイス表示装置等のようなアナログ映像信号が入力可能な全ての表示装置が含まれる。なお、ディジタル表示デバイスに使用する場合には、プリアンプの増幅率を０［ｄＢ］として、プリアンプ出力を１つのアナログ映像入力信号として、アナログ／ディジタル（Ａ／Ｄ）変換回路に入力して使用する。または、プリアンプの出力の高輝度部分４［Ｖｐｐ］、低輝度部分２［Ｖｐｐ］となった映像信号を、増幅率を−１５［ｄＢ］の増幅回路を使用し、高輝度部分０．７［Ｖｐｐ］、低輝度部分０．３５［Ｖｐｐ］に振幅変換を行い、アナログ映像入力信号として、アナログ／ディジタル（Ａ／Ｄ）変換回路に入力して使用する。
【００３０】
また、図１では、プリアンプ１１を備えた回路を示しているが、プリアンプ１１は必ずしも備える必要はない。液晶などのディジタル表示デバイスに使用するには、輝度制御回路１２出力を１つのアナログ映像入力信号として、アナログ／ディジタル（Ａ／Ｄ）変換回路に入力して使用することができる。
【００３１】
以上説明したように、実施の形態１に係る映像表示回路によれば、高輝度部分と低輝度部分の振幅差のあるアナログ映像信号を作り出すことができ、非動画部８ａを低輝度に動画ウインドウ部８ｂを高輝度に表示することができる。また、実施の形態１に係る映像表示回路においては、映像信号の増幅率を直接瞬時に切り替えるのではなく、予め増幅した２つの信号を高速のスイッチ回路１７Ｒ，１７Ｇ，１７Ｂで切り替えているので、高輝度部分と低輝度部分の画像信号の振幅を高速に切り替えることとができる。
【００３２】
また、実施の形態１に係る映像表示回路によれば、高輝度部と低輝度部の輝度とホワイトバランス調整手法は、プリアンプを用いなくても、高輝度ウインドウ部の輝度とホワイトバランスはＲ，Ｇ，Ｂそれぞれのアンプ１３Ｒ，１３Ｇ，１３Ｂの増幅率を変えることで調整することができ、同様に低輝度部の輝度とホワイトバランスは、アンプ１４Ｒ，１４Ｇ，１４Ｂの増幅率を変えることで調整することができる。
【００３３】
また、実施の形態１に係る映像表示回路において、全画面を高輝度にしたい場合は、ウインドウ制御信号を常時ハイレベルにすればよい。また、全画面を低輝度にしたい場合は、ウインドウ制御信号を常時ローレベルにすればよい。
【００３４】
【発明の効果】
以上説明したように、請求項１から７までに記載の映像表示回路、又は請求項８及び９に記載の映像表示装置は、各色の映像信号毎に、第１のアンプ及び第２のアンプ、第１のクランプ回路及び第２のクランプ回路、第１のクランプ回路から出力される映像信号及び第２のクランプ回路から出力される映像信号が入力され、第１のクランプ回路から出力される映像信号又は第２のクランプ回路から出力される映像信号のいずれか一方を出力するスイッチ回路とを有し、さらに、輝度制御回路が第１の領域の映像を表示させるための映像信号を出力する間は輝度制御回路から出力される映像信号が第１のクランプ回路から出力される映像信号になり、輝度制御回路が第２の領域の映像を表示させるための映像信号を出力する間は輝度制御回路から出力される映像信号が第２のクランプ回路から出力される映像信号になるようにスイッチ回路を動作させるスイッチ制御回路を有する。このように、請求項１から７までに記載の映像表示回路、又は請求項８及び９に記載の映像表示装置は、アンプの増幅率を変化させるのではなく、応答速度の早いスイッチ回路によって第１のアンプ又は第２のアンプのいずれかを選択することによって、第１の領域に低輝度画像を表示し、第２の領域に高輝度画像を表示することができる。
【図面の簡単な説明】
【図１】本発明の実施の形態１に係る映像表示回路の構成を概略的に示すブロック図である。
【図２】実施の形態１に係る映像表示回路のウインドウ制御信号発生回路の動作説明図である。
【図３】実施の形態１係る映像表示回路の信号波形図である。
【図４】従来の映像表示装置の構成を概略的に示すブロック図である。
【図５】図４に示される映像表示装置の信号波形図である。
【図６】従来の映像表示回路の構成を概略的に示すブロック図である。
【図７】図６に示される映像表示回路のサブコントラスト制御信号とプリアンプ出力の関係を示すグラフである。
【図８】図６に示される映像表示回路の信号波形図である。
【符号の説明】
１１　プリアンプ、　１２　輝度制御回路、　１３Ｒ，１３Ｇ，１３Ｂ　第１のアンプ、　１４Ｒ，１４Ｇ，１４Ｂ　第２のアンプ、　１５Ｒ，１５Ｇ，１５Ｂ　第１のクランプ回路、　１６Ｒ，１６Ｇ，１６Ｂ　第２のクランプ回路、　１７Ｒ，１７Ｇ，１７Ｂ　スイッチ回路、　１８　ウインドウ制御信号発生回路、　２１　カソードアンプ、　２２　陰極線管（ＣＲＴ）、　Ｒ１，Ｇ１，Ｂ１入力映像信号、　Ｒ１ｃ，Ｇ１ｃ，Ｂ１ｃ　輝度制御回路の出力映像信号、　Ｒ２，Ｇ２，Ｂ２　プリアンプ出力信号、　ＣＷ　ウインドウ制御信号。
【図１】
2004040534.tif 000003
【図２】
2004040534.tif 000004
【図３】
2004040534.tif 000005
【図４】
2004040534.tif 000006
【図５】
2004040534.tif 000007
【図６】
2004040534.tif 000008
【図７】
2004040534.tif 000009
【図８】
2004040534.tif 000010